(57)【要約】【課題】レンズユニットをカメラボディに着脱する作業を片手で行うことのできる撮像装置を提供する。【解決手段】本発明に係る撮像装置を用いたデジタルカメラ１０は、レンズユニット１１と、レンズユニット１１の側方に着脱自在なカメラボディ１２とを備える。レンズユニット１１にはカメラボディ１２を光軸の略直交方向に案内するガイド部１７、１７が設けられる。カメラボディ１２には、ガイド部１７、１７に係合する被ガイド部１９、１９と、レンズユニット１１の光軸の略直交方向への移動を規制するロック部３１が設けられる。【選択図】  図３
2007078827.tif 000002
【特許請求の範囲】
【請求項１】
レンズユニットと、該レンズユニットに側方から着脱自在な本体と、を備えた撮像装置であって、
前記レンズユニットに設けられ、該レンズユニットの光軸に対して略直交する方向に前記本体を案内するガイド部と、
前記本体に設けられ、前記ガイド部に係合する被ガイド部と、
を備えたことを特徴とする撮像装置。
【請求項２】
前記本体に設けられ、該本体に前記レンズユニットを装着した際、前記光軸に対して略直交する方向における前記レンズユニットと前記本体との相対的な移動を規制するロック部を備えたことを特徴とする請求項１に記載の撮像装置。
【請求項３】
前記レンズユニットは撮像素子を備えることを特徴とする請求項１又は２に記載の撮像装置。
【請求項４】
前記ロック部は、前記本体に回動自在に設けられることを特徴とする請求項２又は３に記載の撮像装置。
【請求項５】
前記本体は、回動自在に連結されたフロント側部材とリア側部材とから成り、前記フロント側部材に前記被ガイド部が設けられ、前記リア側部材に前記ロック部が設けられるととともに、前記リア側部材は前記ロック部がロックを行う方向に付勢させることを特徴とする請求項２、３又は４に記載の撮像装置。
【請求項６】
前記本体のリア側部材には、前記レンズユニットを介して得られた画像を表示する表示画面が設けられることを特徴とする請求項５に記載の撮像装置。
【請求項７】
前記レンズユニット及び前記本体には、装着時に接続される電気接点が設けられることを特徴とする請求項１、２、３、４、５又は６に記載の撮像装置。
【請求項８】
前記ロック部は、前記被ガイド部の近傍で移動を規制することを特徴とする請求項２、３、４、５、６又は７に記載の撮像装置。
【請求項９】
前記ロック部は、第１ロック部と第２ロック部とから成り、前記第１ロック部によって前記本体に前記レンズユニットが保持され、前記第２ロック部によって前記レンズユニットと前記本体との前記光軸の略直交方向への相対的な移動が規制されることを特徴とする請求項２、３、４、５、６、７又は８に記載の撮像装置。
【発明の詳細な説明】
【技術分野】
【０００１】
本発明は撮像装置に係り、特にカメラボディに対してレンズユニットを着脱可能なレンズ交換式カメラ等の撮像装置に関する。
【背景技術】
【０００２】
銀塩カメラの分野では、従来よりレンズユニットをカメラボディから取り外して交換できるようにしたレンズ交換式のカメラが知られている。近年、デジタルカメラの分野においても、銀塩カメラと同様にレンズユニットを交換できるようにしたレンズ交換式のカメラが提案されている。
【０００３】
一般に、このようなレンズ交換式のカメラでは、バヨネット方式のマウントを用いてレンズユニットをカメラボディに取り付けるようにしている。すなわち、レンズユニットをカメラボディに対して、光軸を中心に回動させることによって、レンズユニットをカメラボディに取り付けている。
【０００４】
ところで、デジタルカメラでは、ＣＣＤ等の撮像素子がレンズユニット内に組み込まれる場合がある（例えば特許文献１参照）。このようなデジタルカメラにおいてレンズユニットをバヨネット方式のマウントを用いてカメラボディに取り付けた場合、レンズユニットとカメラボディとの電気的接点の個数が十分に確保できないという問題が発生する。
【０００５】
そこで、特許文献２に記載のレンズ交換式カメラは、レンズユニットとカメラボディとの係合部及び固定部を、光軸を挟んで設けている。このカメラによれば、係合部を介してレンズユニットをカメラボディに係合させた後、そのレンズユニットをカメラボディ側に倒し、さらに固定部を介してレンズユニットをカメラボディに固定している。これにより、レンズユニットを、光軸周りに回転させずにカメラボディに取り付けることができる。
【特許文献１】特開２００４−３５００４７号公報
【特許文献２】特開２００３−１５６７９０号公報
【発明の開示】
【発明が解決しようとする課題】
【０００６】
しかしながら、特許文献２に記載のカメラは、レンズユニットをカメラボディに取り付ける際、レンズユニットとカメラボディをそれぞれ別の手に持って操作するため、作業者の両手が塞がり、他の作業を中断しなければならないという問題があった。
【０００７】
本発明はこのような事情に鑑みてなされたもので、レンズユニットをカメラボディに着脱する作業を片手で行うことのできる撮像装置を提供することを目的とする。
【課題を解決するための手段】
【０００８】
請求項１に記載の発明は前記目的を達成するために、レンズユニットと、該レンズユニットに側方から着脱自在な本体と、を備えた撮像装置であって、前記レンズユニットに設けられ、該レンズユニットの光軸に対して略直交する方向に前記本体を案内するガイド部と、前記本体に設けられ、前記ガイド部に係合する被ガイド部と、を備えたことを特徴とする。
【０００９】
請求項１に記載の発明によれば、本体を片手で持って操作するだけで、本体をレンズユニットに着脱することができる。すなわち、本体を片手で把持し、その本体の被ガイド部をレンズユニットのガイド部に係合させて案内させることによって、本体をレンズユニットに装着することができる。また、本体を片手で把持し、その被ガイド部とレンズユニットのガイド部との係合を解除することによって、本体をレンズユニットから取り外すことができる。
【００１０】
請求項２に記載の発明は請求項１の発明において、前記本体に設けられ、該本体に前記レンズユニットを装着した際、前記光軸の略直交方向の前記レンズユニットと前記本体との相対的な移動を規制するロック部を備えたことを特徴とする。
【００１１】
請求項２に記載の発明によれば、ロック部を設けたので、レンズユニットと本体とが光軸の略直交方向に相対的に移動することを規制することができる。光軸の略直交方向以外の移動は、被ガイド部材とガイド部材とによって規制されているので、ロック部でロックすることによって、レンズユニットと本体とを確実に固定することができる。
【００１２】
また、請求項２に記載の発明によれば、ロック部を本体に設けたので、本体を把持した手でロック部の操作を行うことができる。
【００１３】
請求項３に記載の発明は請求項２の発明において、前記レンズユニットは撮像素子を備えることを特徴とする。レンズと撮像素子を備えたレンズユニットは、本体に対する高い位置決め精度が不要であり、着脱の機構を簡易化することができる。
【００１４】
請求項４に記載の発明は請求項２又は３の発明において、前記ロック部は、前記本体に回動自在に設けられることを特徴とする。したがって、請求項４の発明によれば、より簡単な構成によってロック操作を行うことができる。
【００１５】
請求項５に記載の発明は請求項２、３又は４の発明において、前記本体は、回動自在に連結されたフロント側部材とリア側部材とから成り、前記フロント側部材に前記被ガイド部が設けられ、前記リア側部材に前記ロック部が設けられるととともに、前記リア側部材は前記ロック部によってロックが行われる回動方向に付勢させることを特徴とする。
【００１６】
請求項５に記載の発明によれば、フロント側部材の被ガイド部をレンズユニットのガイド部材に係合させた後、リア側部材を回動させることによって本体がレンズユニットに装着される。また請求項５に記載の発明によれば、リア側部材がロック方向に付勢されているので、ロック操作をより簡単に行うことができる。
【００１７】
請求項６に記載の発明は請求項５の発明において、前記本体のリア側部材には、前記レンズユニットを介して得られた画像を表示する表示画面が設けられることを特徴とする。
【００１８】
請求項６に記載の発明によれば、表示画面を本体のリア側部材に設けたので、表示画面をフロント側部材に設けた場合よりも、装置構成を簡略化でき、装置を小型化することができる。また、請求項６に記載の発明によれば、リア側部材を回動することによって表示画面の姿勢を調整することができる。
【００１９】
請求項７に記載の発明は請求項１、２、３、４、５又は６の発明において、前記レンズユニット及び前記本体には、装着時に接続される電気接点が設けられることを特徴とする。請求項７に記載の発明によれば、レンズユニットと本体を装着した際に同時に、電気接点が接続される。
【００２０】
請求項８に記載の発明は請求項２、３、４、５、６又は７の発明において、前記ロック部は、前記被ガイド部の近傍で移動を規制することを特徴とする。請求項７に記載の発明によれば、被ガイド部の近傍で規制を行うので、信頼性の高いメカ構成となる。
【００２１】
請求項９に記載の発明は請求項２、３、４、５、６、７又は８の発明において、前記ロック部は、第１ロック部と第２ロック部とから成り、前記第１ロック部によって前記本体に前記レンズユニットが保持され、前記第２ロック部によって前記レンズユニットと前記本体との前記光軸の略直交方向への相対的な移動が規制されることを特徴とする。
【００２２】
請求項９に記載の発明によれば、第１ロック部によってレンズユニットが本体に保持されるので、第２ロック部によるロック操作を簡単に行うことができる。また、二つのロック部によってロックを行うので、レンズユニットと本体とをより確実に固定することができる。
【発明の効果】
【００２３】
本発明によれば、本体を片手で把持して操作するだけで、本体をレンズユニットに着脱することができるので、レンズユニットの交換作業を片手で行うことができる。
【発明を実施するための最良の形態】
【００２４】
以下、添付図面に従って本発明に係る撮像装置の好ましい実施の形態について説明する。なお、以下の説明では、本発明の撮像装置を、レンズ交換式のデジタルカメラに適用した例について説明するが、本発明はこれに限定されるものではなく、カメラ機能を有するカメラ付き携帯電話機や、銀塩フィルムを使用するカメラ等に適用可能である。
【００２５】
図１は、第１の実施形態のデジタルカメラ１０を正面側から見た斜視図であり、図２はデジタルカメラ１０を背面側から見た斜視図である。また、図３及び図４はデジタルカメラ１０の組み立て図である。
【００２６】
これらの図に示すように、デジタルカメラ１０は、レンズユニット１１と、カメラカメラボディ（本体に相当）１２とで構成されており、カメラボディ１２は、レンズユニット１１の後端部に着脱自在に取り付けられる。
【００２７】
レンズユニット１１は略円筒状に形成されており、その側面には、図１に示す如く平坦なＤカット面１１Ａが形成されている。Ｄカット面１１Ａは、カメラボディ１２の装着方向（図３の矢印方向）に対して反対側の面に形成されており、このＤカット面１１Ａを下にして置くことによって、レンズユニット１１が転がることを防止できる。
【００２８】
レンズユニット１１の前端面には撮影レンズ１８が設けられている。また、レンズユニット１１の外周部には、フォーカスリングやズームリング等の操作リング３３が回動自在に支持されている。なお、操作リング３３は、Ｄカット面１１Ａよりも突出しないことが好ましいが、これに限定するものではない。
【００２９】
図３に示すようにレンズユニット１１の後端面には、ＣＣＤ収納部１３が突出して形成されている。ＣＣＤ収納部１３の内部には、ＣＣＤ５４（図５参照）及び基盤（不図示）等が収納されており、その側面には、電気接点となるメス型のコネクタ１５が設けられている。このコネクタ１５が後述するカメラボディ１２のオス型のコネクタ２５に連結されることによって、撮影画像等のデータの送受信が行われる。
【００３０】
ＣＣＤ収納部１３の上面及び下面には、溝状のガイド部１７、１７が形成されており、このガイド部１７、１７に、後述するカメラボディ１２の被ガイド部１９、１９に係合されるようになっている。ガイド部１７、１７は、レンズユニット１１の光軸Ｐに対して直交する方向に形成されている。
【００３１】
一方、カメラボディ１２は、円柱状に膨出したグリップ部１４を有し、このグリップ部１４の上面に撮影ボタン１６が配設されている。カメラボディ１２の前面の右上部には図１に示す如くストロボ発光部２２が設けられる。また、カメラボディ１２の背面には、図２に示す如く液晶モニタ２４と、モード選択スイッチ２６や十字キー２７等の各種スイッチがそれぞれ所定の位置に設けられる。
【００３２】
カメラボディ１２は、グリップ部１４に連設された板状のフロント部２０と、グリップ部１４を軸としてフロント部２０に対して回動自在に連結された板状のリア部２１とを備える。リア部２１は、回動ヒンジ２９、２９を介してグリップ部１４に回動自在に連結されており、回動ヒンジ２９にはレバー２３が一体的に形成されている。このレバー２３を操作してリア部２１をフロント部２０に対して回動させることによって、図３、図４に示す如くリア部２１をフロント部２０に対して開いた状態にすることができる。また、リア部２１を逆方向に回動させることによって、図１、図２に示す如くリア部２１をフロント部２０に対して閉じた状態（すなわち、フロント部２０とリア部２１を重ねた状態）にすることができる。
【００３３】
グリップ部１４の内部には不図示の付勢手段が設けられ、この付勢手段によってリア部２１がフロント部２０に対して閉じる方向に付勢される。よって、無操作時には、リア部２１がフロント部２０に対して閉じた状態になっている。そして、付勢手段の付勢力に抗してレバー２３を操作してリア部２１を回動させることによって、リア部２１をフロント部２０に対して開くことができる。
【００３４】
フロント部２０は、図３に示すように、その基端がグリップ部１４に連結される。また、フロント部２０は、略コ状に形成されており、フロント部２０の先端側には、レンズユニット１１のＣＣＤ収納部１３が差し込まれる凹部２８が設けられている。凹部２８は、レンズユニット１１のＣＣＤ収納部１３の形状に応じて形成されており、凹部２８の内側側面には、凸条に形成された被ガイド部１９、１９が設けられている。この被ガイド部１９、１９は、前述したレンズユニット１１のガイド部１７、１７に係合するように形成されており、被ガイド部１９、１９をガイド部１７、１７に係合させることによって、ＣＣＤ収納部１３が凹部２８に差し込まれて所定の取付位置に案内される。また、凹部２８の底位置には、コネクタ２５が設けられており、レンズユニット１１のＣＣＤ収納部１３を凹部２８の奥まで差し込んだ際に、コネクタ１５、２５同士が連結されるようになっている。
【００３５】
リア部２１は、その先端にロック部３１を有し、このロック部３１はフロント部２０側に突出して形成されている。ロック部３１は、リア部２１をフロント部２０に対して閉じた際に、図４に二点鎖線で示す如く、レンズユニット１１のＣＣＤ収納部１３の左側に配置される。これにより、フロント部２０がレンズユニット１１に対して光軸の直交方向へ移動することが規制されるので、ＣＣＤ収納部１３が凹部２８から脱落することを防止できる。
【００３６】
なお、カメラボディ１２をレンズユニット１１に装着した際、ＣＣＤ収納部１３の周囲に隙間が形成されるように構成するとよい。例えば、ロック部３１の厚みが、ＣＣＤ収納部１３の厚みよりも若干大きくなるように構成する。これにより、リア部２１をフロント部２０に対して閉じた際に、リア部２１とフロント部２０との間に若干の隙間が形成されるので、ＣＣＤ収納部１３における放熱特性が向上し、ＣＣＤ収納部１３が高温になることを防止できる。
【００３７】
図５はデジタルカメラ１０の内部構成を示すブロック図である。なお、図５は、レンズユニット１１にカメラボディ１２を装着した状態におけるブロック図であり、同図に示す各構成部のうち、少なくとも撮影レンズ１８、ＣＣＤ５４、絞り兼用メカシャッター５６、レンズ駆動部５８、及び絞り駆動部６０はレンズユニット１１の内部に設けられており、カメラボディ１２の内部に設けられた構成部に対して、コネクタ１５、２５（図３参照）を介して電気的に接続されている。
【００３８】
図５に示すように、デジタルカメラ１０は、中央処理装置（ＣＰＵ）３０によってその全体動作が統括制御されている。 ＣＰＵ３０は、所定のプログラムに従ってカメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００３９】
バス３２を介してＣＰＵ３０に接続されたＲＯＭ３４には、ＣＰＵ３０が実行するプログラム及び制御に必要な各種データ等が格納され、ＥＥＰＲＯＭ３６には、ＣＣＤ画素欠陥情報、カメラ動作に関する各種定数／情報等が格納されている。
【００４０】
また、メモリ（ＳＤＲＡＭ）３８は、プログラムの展開領域及びＣＰＵ３０の演算作業用領域として利用されるとともに、画像データや音声データの一時記憶領域として利用される。ＨＤＤ（ハードディスクドライブユニット）４０は画像データ専用の一時記憶メモリであって消去可能であり、自由落下及び振動（動的加速度）を検出する３軸加速度センサ４２が内蔵されている。３軸加速度センサ４２によってデジタルカメラ１０の自由落下が検出されると、ＨＤＤ４０に内蔵された不図示のヘッド退避手段によってヘッドをＨＤＤ４０のハードディスクから退避させる。
【００４１】
また、３軸加速度センサ４２は、撮影ボタン１６の押圧操作（レリーズ）時にカメラケース１２に発生している３軸（直交するＸ、Ｙ、Ｚ軸）方向の振動を検出し、各軸毎に検出された振動を示す電圧信号をＣＰＵ３０に出力する。ＣＰＵ３０は、前記各軸毎に出力される電圧信号の変位量（振れの速度に相当）を算出し、この変位量と予め記憶されている許容振動を示す変位量とを比較し、算出された変位量が許容振動を示す変位量を超えたとき、液晶モニタにその旨を表示し警告し、その後、モード移行を内容を表示してユーザーに再撮影を促す。
【００４２】
モード選択スイッチ２６は、撮影モードと再生モードとを切り換えるための操作手段である。モード選択スイッチ２６を操作して可動接片２６Ａを接点ａに接続させると、その信号がＣＰＵ３０に入力され、デジタルカメラ１０は撮影モードに設定される。また、可動接片２６Ａを接点ｂに接続させると、デジタルカメラ１０は記録済みの画像を再生する再生モードに設定される。
【００４３】
撮影ボタン１６は、撮影開始の指示を入力する操作ボタンであり、半押し時にオンになるＳ１スイッチと、全押し時にオンになるＳ２スイッチとを有する二段ストローク式のスイッチで構成されている。
【００４４】
メニュー／ＯＫキー（図２には不図示）は、液晶モニタ２４の画面上にメニューを表示させる指令を行うためのメニューボタンとしての機能と、選択内容の確定及び実行などを指令するＯＫボタンとしての機能とを兼備した操作キーである。十字キー２７（図２参照）は、上下左右の４方向の指示を入力する操作部であり、メニュー画面から項目を選択したり、各メニューから各種設定項目の選択を指示したりするボタンとして機能する。キャンセルキー（図２には不図示）は、選択項目など所望の対象の消去や指示内容の取消し、あるいは１つ前の操作状態に戻らせる時などに使用される。
【００４５】
液晶モニタ２４は、ユーザインターフェース用表示画面としても利用され、必要に応じてメニュー情報や選択項目、設定内容などの情報が表示される。この液晶モニタ２４は液晶ディスプレイであるが、これに代えて、有機ＥＬなど他の方式の表示装置を用いることも可能である。
【００４６】
デジタルカメラ１０は、メディアソケット４６を有し、メディアソケット４６には記録メディア４８を装着することができる。記録メディアの形態は特に限定されず、スマートメディア（商標）に代表される半導体メモリカード、可搬型小型ハードディスク、磁気ディスク、光ディスク、光磁気ディスクなど、種々の媒体を用いることができる。
【００４７】
メディアコントローラ５０は、メディアソケット４６に装着される記録メディア４８に適した入出力信号の受渡しを行うために所要の信号変換を行う。
【００４８】
また、デジタルカメラ１０は、パソコンその他の外部機器と接続するための通信手段としてＵＳＢインターフェース部５２を備えている。ＵＳＢケーブルを用いてデジタルカメラ１０と外部機器を接続することにより、外部機器との間でデータの受渡しが可能となる。もちろん、通信方式はＵＳＢに限らず、その他の通信方式を適用してもよい。
【００４９】
次に、デジタルカメラ１０の撮影機能について説明する。
【００５０】
モード選択スイッチ２６によって撮影モードが選択されると、カラーＣＣＤ固体撮像素子（以下ＣＣＤと記載）５４を含む撮像部に電源が供給され、撮影可能な状態になる。
【００５１】
レンズユニット１１は、フォーカスレンズを含む撮影レンズ１８と絞り兼用メカシャッター５６とを含む光学ユニットである。レンズユニット１１は、ＣＰＵ３０によって制御されるレンズ駆動部５８、絞り駆動部６０によって電動駆動され、ズーム制御、フォーカス制御及びアイリス制御が行われる。
【００５２】
撮影レンズ１８を通過した光は、ＣＣＤ５４の受光面に結像される。ＣＣＤ５４の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造で配置されている。また、ＣＣＤ５４は、各フォトダイオードの電荷蓄積時間（シャッタースピード）を制御する電子シャッター機能を有している。ＣＰＵ３０は、タイミングジェネレータ６２を介してＣＣＤ５４での電荷蓄積時間を制御する。なお、ＣＣＤ５４に代えてＭＯＳ型など他の方式の撮像素子を用いてもよい。
【００５３】
ＣＣＤ５４の受光面に結像された被写体像は、各フォトダイオードによって入射光量に応じた量の信号電荷に変換される。各フォトダイオードに蓄積された信号電荷は、ＣＰＵ３０の指令に従いタイミングジェネレータ６２から与えられる駆動パルスに基づいて信号電荷に応じた電圧信号（画像信号）として順次読み出される。
【００５４】
ＣＣＤ５４から出力された信号はアナログ処理部（ＣＤＳ／ＡＭＰ）６４に送られ、ここで画素毎のＲ、Ｇ、Ｂ信号がサンプリングホールド（相関二重サンプリング処理）され、増幅された後、Ａ／Ｄ変換器６６に加えられる。Ａ／Ｄ変換器６６によってデジタル信号に変換された点順次のＲ、Ｇ、Ｂ信号は、画像入力コントローラ６８を介してメモリ３８に記憶される。
【００５５】
画像信号処理回路７０は、メモリ３８に記憶されたＲ、Ｇ、Ｂ信号をＣＰＵ３０の指令に従って処理する。すなわち、画像信号処理回路７０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ３０からのコマンドに従ってメモリ３８を活用しながら所定の信号処理を行う。
【００５６】
画像信号処理回路７０に入力されたＲＧＢの画像データは、画像信号処理回路７０において輝度信号及び色差信号に変換されるとともに、ガンマ補正等の所定の処理が施される。画像信号処理回路７０で処理された画像データはＨＤＤ４０に記録される。
【００５７】
撮影画像を液晶モニタ２４にモニタ出力する場合、ＨＤＤ４０から画像データが読み出され、バス３２を介してビデオエンコーダ７２に送られる。ビデオエンコーダ７２は、入力された画像データを表示用の所定方式の信号（例えば、ＮＴＳＣ方式のカラー複合映像信号）に変換して液晶モニタ２４に出力する。
【００５８】
撮影ボタン１６が半押しされ、Ｓ１がオンになると、デジタルカメラ１０はＡＥ及びＡＦ処理を開始する。すなわち、ＣＣＤ５４から出力された画像信号はＡ／Ｄ変換後に画像入力コントローラ６８を介してＡＦ検出回路７４並びにＡＥ／ＡＷＢ検出回路７６に入力される。
【００５９】
ＡＥ／ＡＷＢ検出回路７６は、１画面を複数のエリア（例えば、１６×１６）に分割し、分割エリアごとにＲＧＢ信号を積算する回路を含み、その積算値をＣＰＵ３０に提供する。ＣＰＵ３０は、ＡＥ／ＡＷＢ検出回路７６から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ３０はＣＣＤ５４の電子シャッター及びアイリスを制御して適正な露光量を得る。
【００６０】
また、ＡＥ／ＡＷＢ検出回路７６は、自動ホワイトバランス調整時には、分割エリアごとにＲＧＢ信号の色別の平均積算値を算出し、その算出結果をＣＰＵ３０に提供する。ＣＰＵ３０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１になるように、ホワイトバランス調整回路のＲ、Ｇ、Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。
【００６１】
デジタルカメラ１０におけるＡＦ制御は、例えば映像信号のＧ信号の高周波成分が極大になるようにフォーカシングレンズ（撮影レンズ１８を構成するレンズ光学系のうちフォーカス調整に寄与する移動レンズ）を移動させるコントラストＡＦが適用される。すなわち、ＡＦ検出回路７４は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００６２】
ＡＦ検出回路７４で求めた積算値のデータはＣＰＵ３０に通知される。ＣＰＵ３０は、レンズ駆動部５８を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部５８を制御する。なお、ＡＦ評価値の演算はＧ信号を利用する態様に限らず、輝度信号（Ｙ信号）を利用してもよい。
【００６３】
撮影ボタン１６が半押しされ、Ｓ１オンによってＡＥ／ＡＦ処理が行われ、撮影ボタン１６が全押しされ、Ｓ２オンによって記録用の撮影動作がスタートする。Ｓ２オンに応動して取得された画像データは画像信号処理回路７０において輝度／色差信号（Ｙ／Ｃ信号）に変換され、ガンマ補正等の所定の処理が施された後、メモリ３８に格納される。
【００６４】
メモリ３８に格納されたＹ／Ｃ信号は、圧縮伸張回路７８によって所定のフォーマットに従って圧縮された後、メディアコントローラ５０を介して記録メディア４８に記録される。例えば、静止画についてはＪＰＥＧ形式で記録される。
【００６５】
モード選択スイッチ２６により再生モードが選択されると、記録メディア４８に記録されている最終の画像ファイル（最後に記録されたファイル）の圧縮データが読み出される。最後の記録に係るファイルが静止画ファイルの場合、この読み出された画像圧縮データは、圧縮伸張回路７８を介して非圧縮のＹＣ信号に伸張され、画像信号処理回路７０及びビデオエンコーダ７２を介して表示用の信号に変換された後、液晶モニタ２４に出力される。これにより、当該ファイルの画像内容が液晶モニタ２４の画面上に表示される。
【００６６】
静止画の一コマ再生中（動画の先頭フレーム再生中も含む）に、十字キーの右キー又は左キーを操作することによって、再生対象のファイルを切り換えること（順コマ送り／逆コマ送り）ができる。コマ送りされた位置の画像ファイルが記録メディア４８から読み出され、上記と同様にして静止画像や動画が液晶モニタ２４に再生表示される。なお、デジタルカメラ１０は、電源回路８０を介して供給される電池８２の電力によって駆動される。
【００６７】
次に上記の如く構成されたデジタルカメラ１０の作用について、図６（Ａ）〜図６（Ｄ）に基づいて説明する。図６（Ａ）〜図６（Ｄ）は、Ｄカット面１１Ａが下になるように配置されたレンズユニット１１に、カメラボディ１２を装着する際の説明図である。
【００６８】
まず、図６（Ａ）に示すように、カメラボディ１２を片手で把持し、レバー２３を回動操作して図６（Ｂ）に示すようにリア部２１をフロント部２０に対して開いた状態にする。
【００６９】
次に、フロント部２０の凹部２８にレンズユニット１１のＣＣＤ収納部１３を差し込む。その際、フロント部２０の被ガイド部１９、１９（図３参照）をレンズユニット１１のガイド部１７、１７に係合させる。これにより、レンズユニット１１のＣＣＤ収納部１３を確実に、フロント部２０の凹部２８に差し込むことができる。
【００７０】
図６（Ｃ）に示すように、レンズユニット１１のＣＣＤ収納部１３を凹部２８の奥まで差し込んだ際、レンズユニット１１のコネクタ１５とカメラボディ１２のコネクタ２５が連結される。この状態で、レバー２３から手を離すと（或いは、レバー２３を操作する力を緩めると）、図６（Ｄ）に示すように、リア部２１は付勢手段（不図示）の付勢力によってフロント部２０側に回動し、リア部２１がフロント部２０に対して閉じた状態になる。これにより、ロック部３１がレンズユニット１１の下側（すなわち装着方向の反対側）に配置される。よって、レンズユニット１１のＣＣＤ収納部１３がカメラボディ１２に対して光軸Ｐの直交方向に移動することが規制される。その際、光軸Ｐの直交方向以外にはガイド部１７、１７と被ガイド部１９、１９によって規制されているので、レンズユニット１１はカメラボディ１２に対して固定される。
【００７１】
以上の操作によりカメラボディ１２がレンズユニット１１に装着される。この一連の操作の際、カメラマンはレンズユニット１１を把持する必要がなく、カメラボディ１２のみを片手で操作すればよい。したがって、本実施の形態のデジタルカメラ１０によれば、カメラボディ１２とレンズユニット１１との装着作業を片手で行うことができる。
【００７２】
カメラボディ１２をレンズユニット１１から取り外す場合には、上述した装着作業と反対の順序で行う。すなわち、図６（Ｄ）に示す如くカメラボディ１２を把持した状態で、図６（Ｃ）に示す如くレバー２３を回動操作してリア部２１をフロント部２０に対して開いた状態にする。これにより、ロック部３１によるロックが解除される。
【００７３】
次に、図６（Ｂ）に示す如くカメラボディ１２を開いた状態のまま持ち上げる。これにより、カメラボディ１２の凹部２８からレンズユニット１１のＣＣＤ収納部１３が脱落し、カメラボディ１２とレンズユニット１１の係合が解除される。
【００７４】
そして、図６（Ａ）に示すように、カメラボディ１２のフロント部２０とリア部２１とを閉じる。これにより、レンズユニット１１とカメラボディ１２とを取り外す作業が完了する。このように取り外し作業の場合にも、カメラマンは、片手でカメラボディ１２を把持するだけでよく、レンズユニット１１を把持する必要がない。したがって、本実施の形態によれば、レンズユニット１１とカメラボディ１２の装着作業及び取り外し作業を片手で行うことができるので、レンズユニット１１の交換作業を片手で行うことができる。よって、もう一方の手が塞がっている場合にも、簡単にレンズユニット１１の交換作業を行うことができる。
【００７５】
なお、上述した第１の実施形態において、ロック部３１の形状は特に限定されるものではなく、レンズユニット１１のＣＣＤ収納部１３に確実に係合する形状であればよい。したがって、例えば図７（Ａ）に示すように、ロック部３１の先端側にテーパ３１Ａを設けてもよい。この場合、リア部２１をフロント部２０に対して閉じた状態のままＣＣＤ収納部１３を凹部２８に差し込むと、図７（Ｂ）に示すように、ロック部３１のテーパ３１ＡにＣＣＤ収納部１３が摺動し、リア部２１はフロント部２０から離れる方向に押し動かされる。よって、ＣＣＤ収納部１３をフロント部２０の凹部２８に差し込むことができる。そして、ＣＣＤ収納部１３をフロント部２０の凹部２８の奥まで差し込んだ際に、図７（Ｃ）に示すように、リア部２１が付勢力によりフロント部２０に対して閉じるので、ロック部３１によってＣＣＤ収納部１３とフロント部２０との移動が規制される。このように、ロック部３１の先端側にテーパ３１Ａを設けることによって、レンズユニット１１とカメラボディ１２との装着作業をより簡単に行うことができる。なお、ＣＣＤ収納部１３のフロント部２０の差し込み側にテーパを形成してもよく、この場合にも上記と同様の効果が得られる。また、ロック部３１の形状は、断面が半円状になるように形成してもよい。
【００７６】
次に第２の実施形態について図８乃至図１０に基づいて説明する。図８は第２の実施形態のデジタルカメラ１００の背面側を示す斜視図であり、図９はそのデジタルカメラ１００の組み立て図を示している。また、図１０はカメラボディ１０２の内部構造を示す図である。なお、第１の実施形態と同様の構成、作用を有する部材については、同一の符号を付してその説明を省略する。
【００７７】
図８乃至図１０に示す第２の実施形態のデジタルカメラ１００は、第１の実施形態のデジタルカメラ１０と比較して、カメラボディ１０２の構成が異なっている。すなわち、第２の実施形態のカメラボディ１０２は、グリップ部１４と一体的に形成されたケース１０４を有し、このケース１０４の背面に液晶モニタ２４や不図示の各種スイッチが設けられる。
【００７８】
図９に示すように、ケース１０４の先端には、レンズユニット１１のＣＣＤ収納部１３が差し込まれる凹部１０６が形成される。凹部１０６の底位置にはコネクタ２５が設けられ、凹部１０６の内側面には、レバー１０８、１０８が設けられる。
【００７９】
各レバー１０８、１０８は、レンズユニット１１のガイド部１７、１７に係合される凸条の被ガイド部１０８Ａ、１０８Ａと、その先端に内側に向けて突出形成されたロック部１０８Ｂ、１０８Ｂとを有し、凹部１０６にＣＣＤ収納部１３を差し込んだ際にロック部１０８Ｂ、１０８ＢがＣＣＤ収納部１３に係合される。これにより、凹部１０６からＣＣＤ収納部１３が抜け落ちることが防止される。また、ロック部１０８Ｂ、１０８Ｂの先端には、テーパ１０８Ｃ、１０８Ｃが形成されており、凹部１０６にＣＣＤ収納部１３を差し込んだ際にＣＣＤ収納部１３がテーパ１０８Ｃ、１０８Ｃに摺動してロック部１０８Ｂ、１０８Ｂを外側に押し広げるようになっている。
【００８０】
図１０に示すように、各レバー１０８、１０８は略Ｌ状に形成されている。各レバー１０８、１０８は、その屈曲部において、軸１１４、１１４を中心としてケース１０４に揺動自在に支持されている。なお、レバー１０８、１０８は、被ガイド部１０８Ａとロック部１０８Ｂがケース１０４の凹部１０６に突出した状態で取り付けられており、レバー１０８、１０８が揺動することによって、その突出量が変化するようになっている。
【００８１】
各レバー１０８、１０８のもう一方の端部には長孔１０８Ｄ、１０８Ｄが形成される。長孔１０８Ｄ、１０８Ｄは、被ガイド部１０８Ａ、１０８Ａと直交する方向に形成されており、この長孔１０８Ｄ、１０８Ｄにロック解除ピン１１０が挿通されている。ロック解除ピン１１０は、図８に示すロック解除ボタン１１２に連結されており、このロック解除ボタン１１２は、図８の矢印方向に揺動自在に設けられている。したがって、ロック解除ボタン１１２を図８の左方向に動かすと、ロック解除ピン１１０に係合したレバー１０８、１０８が揺動し、レバー１０８、１０８の先端のロック部１０８Ｂ、１０８Ｂが外側（すなわち、間隔が広がる方向）に退避移動する。これにより、レンズユニット１１のＣＣＤ収納部１３とロック部１０８Ｂ、１０８Ｂとの係合を解除することができ、ロック状態を解除することができる。
【００８２】
ケース１０４の内部にはスプリング１１６が設けられる。スプリング１１６の両端はそれぞれレバー１０８、１０８に取り付けられており、このスプリング１１６によってレバー１０８、１０８が内側へ（すなわち、間隔が狭まる方向に）付勢される。
【００８３】
また、ケース１０４の内部には、ストッパーピン１１８、１１８が設けられている。ストッパーピン１１８、１１８はそれぞれ、レバー１０８、１０８の内側に配設されており、このストッパーピン１１８、１１８に係合することによって、レバー１０８、１０８の内側への揺動が規制される。なお、ストッパーピン１１８、１１８は、レバー１０８、１０８の被ガイド部１０８Ａ、１０８Ａが互いに平行となる位置で規制するように配置される。
【００８４】
上記の如く構成された第２の実施形態のデジタルカメラ１１０において、カメラボディ１０２とレンズユニット１１との装着作業は、まず、カメラボディ１０２を把持し、その凹部１０６にレンズユニット１１のＣＣＤ収納部１３を差し込むようにする。その際、レンズユニット１１は、図６に示した場合と同様に、平坦な面に置いて操作するとよい。
【００８５】
カメラボディ１０２の凹部１０６にレンズユニット１１のＣＣＤ収納部１３を差し込むと、ＣＣＤ収納部１３がロック部１０８Ｂ、１０８Ｂの傾斜面１０８Ｃ、１０８Ｃに摺動して、レバー１０８、１０８同士の間隔が押し広げられる。ＣＣＤ収納部１３をさらに凹部１０６に差し込むと、レンズユニット１１のガイド部１７、１７にレバー１０８、１０８の被ガイド部１０８Ａ、１０８Ａが係合し、ＣＣＤ収納部１３が凹部１０６の内部に確実に案内される。
【００８６】
ＣＣＤ収納部１３が凹部１０６の奥まで差し込まれると、レンズユニット１１のコネクタ１５とカメラボディ１２のコネクタ２５が連結されるとともに、レバー１０８、１０８がスプリング１２０の付勢力によって内側に揺動し、その先端のロック部１０８Ｂ、１０８ＢがＣＣＤ収納部１３に係合する。これにより、レンズユニット１１の光軸Ｐの直交方向への移動が規制されるので、レンズユニット１１がカメラボディ１０２に対して固定される。したがって、第２の実施形態によれば、カメラボディ１０２を片手で把持して操作することによって、カメラボディ１０２をレンズユニット１１に装着することができる。特に第２の実施形態では、カメラボディ１０２の凹部１０６にレンズユニット１１のＣＣＤ収納部１３を差し込むだけでレンズユニット１１がカメラボディ１０２に装着されるので、装着作業をより簡単に行うことができる。
【００８７】
装着したレンズユニット１１とカメラボディ１０２とを取り外す場合には、まず、カメラボディ１０２のグリップ部１４を把持し、その把持した手でロック解除ボタン１１２を図８の左方向に移動させる。これにより、一対のレバー１０８、１０８がスプリング１２０の付勢力に抗して揺動し、ロック部１０８Ｂ、１０８Ｂ同士の間隔が広がる。よって、ロック部１０８Ｂ、１０８ＢとＣＣＤ収納部１３との係合が解除される。この状態で、ＣＣＤ収納部１３を凹部１０６から引き抜く方向にカメラボディ１２を移動させることによって、カメラボディ１０２をレンズユニット１１から取り外すことができる。したがって、第２の実施形態によれば、カメラボディ１２を片手で把持し、その把持した手でロック解除ボタン１１２を操作することによって、取り外し作業を行うことができる。
【００８８】
このように第２の実施形態によれば、レンズユニット１１とカメラボディ１０２との着脱作業を片手で簡単に行うことができる。
【００８９】
また、第２の実施形態によれば、カメラボディ１２のロック部１０８Ｂ、１０８Ｂが、加工精度の高いガイド部１７、１７に係合してロックを行うので、ロック時に高い信頼性が得られる。
【００９０】
次に第３の実施形態について図１１に基づいて説明する。図１１は第３の実施形態のデジタルカメラの組み立て図を示している。
【００９１】
図１１に示す第３の実施形態のデジタルカメラ１３０は、第１の実施形態のデジタルカメラ１０と比較して、カメラボディ１３２のフロント部１３４の構成が異なっている。すなわち、第３の実施形態は、カメラボディ１３２のフロント部１３４に、一対の突起部（第１のロック部に相当）１３６、１３６が設けられている。一対の突起部１３６、１３６は、凹部２８の内側に突出して形成されており、凹部２８にＣＣＤ収納部１３を差し込んだ際にＣＣＤ収納部１３に係合するようになっている。したがって、突起部１３６、１３６によってレンズユニット１１が光軸Ｐの直交方向に移動することを規制することができ、レンズユニット１１をカメラボディ１３２で保持することができる。なお、ＣＣＤ収納部１３をフロント部１３４の凹部２８に差し込んで一対の突起部１３６、１３６に係合させた際に、例えば「カチッ」のような係合音が発生するように構成するとよい。
【００９２】
カメラボディ１３２のリア部２１は、第１の実施形態と同様に構成されており、その先端にはロック部（第２のロック部に相当）３１が設けられている。よって、リア部２１を回動させてフロント部１３２に対して閉じることによって、ロックを行うことができる。
【００９３】
上記の如く構成された第３の実施形態のデジタルカメラ１３０によれば、カメラボディ１３２のフロント部１３４の凹部２８にレンズユニット１１のＣＣＤ収納部１３を差し込んだ際、フロント部１３４の突起部１３６、１３６がＣＣＤ収納部１３に係合され、ＣＣＤ収納部１３がロックされる。したがって、凹部２８にＣＣＤ収納部１３を差し込んだ後、カメラボディ１３２を保持してレンズユニット１１を持ち上げることができる。この状態で、リア部２１を回動させてロック部３１でロックする。これにより、レンズユニット１１とカメラボディ１３２が二種類のロック手段（すなわち突起部１３６とロック部３１）でロックされるので、レンズユニット１１とカメラボディ１３２との連結をより確実に行うことができる。
【００９４】
次に第４の実施形態について図１２に基づいて説明する。図１２は、第４の実施形態のデジタルカメラの組み立て図である。
【００９５】
同図に示す第４の実施形態のデジタルカメラ１４０は、第１の実施形態のデジタルカメラ１０と比較して、カメラボディ１４２の構成が異なっている。すなわち、第４の実施形態のカメラボディ１４２は、フロント部１４４の上部に配置した軸１４８を中心として、リア部１４６が回動自在に支持されている。このリア部１４６は、適切な摩擦抵抗を有して回動するようになっており、リア部１４６を所望の回動位置で停止させてその姿勢を維持できるようになっている。
【００９６】
液晶モニタ２４は、リア部１４６の内側面（すなわち、リア部１４６をフロント部１４４に対して重ねて閉じた際、フロント部１４４側に配置される面）に設けられる。したがって、リア部１４６をフロント部１４４に対して閉じた際に、液晶モニタ２４がカメラボディ１４２の内部に隠れるので、液晶モニタ２４を保護することができる。
【００９７】
上記の如く構成された第４の実施形態によれば、カメラボディ１４２のリア部１４６を所望の回動位置で停止させることによって、液晶モニタ２４を所望の姿勢に配置することができる。よって、デジタルカメラ１４０をカメラマンの視点よりも低い位置や高い位置で構えた場合にも、リア部１４６の姿勢を調節することによって、液晶モニタ２４を視認しやすい任意の姿勢に調整することができる。
【００９８】
また、第４の実施形態によれば、リア部１４６をフロント部１４４に対して開くことによって、ＣＣＤ収納部１３の周囲にスペースが確保されるので、ＣＣＤ収納部１３の内部で発生した熱を、効率良く放熱することができる。よって、ＣＣＤ収納部１３の温度上昇を防止することができる。
【００９９】
さらに、第４の実施形態によれば、リア部１４６の内側面に液晶モニタ２４を設けたので、リア部１４６をフロント部１４４に対して閉じた際に液晶モニタ２４をカメラボディ１４２の内部に収納することができ、液晶モニタ２４を保護することができる。
【０１００】
次に第５の実施形態のデジタルカメラについて図１３に基づいて説明する。図１３は、第５の実施形態のデジタルカメラの組み立て図を示している。
【０１０１】
第５の実施形態のデジタルカメラ１５０は、第１のデジタルカメラ１０と比較して、第１の実施形態のロック部３１の位置にコネクタ２５が設けられている点で異なっている。すなわち、第５の実施形態のデジタルカメラ１５０は、カメラボディ１５２のリア部２１の先端内側に、コネクタ２５が内向きに取り付けられている。一方、レンズユニット１１には、コネクタ２５が嵌合されるコネクタ１５がＣＣＤ収納部１３に隣接して設けられている。
【０１０２】
上記の如く構成された第５の実施形態によれば、カメラボディ１５２の凹部２８にＣＣＤ収納部１３を差し込んだ後、リア部１５４を回動させて閉じることによって、コネクタ２５がコネクタ１５に連結される。これにより、レンズユニット１１に対してカメラボディ１５２が光軸Ｐの直交方向に移動することが規制され、レンズユニット１１がカメラボディ１５２に固定される。したがって、第５の実施形態によれば、コネクタ１５、２５がカメラボディ１５２の移動を規制するロック手段を兼ねており、ロック手段を別途設ける必要がない。
【０１０３】
なお、上述した第１〜第５の実施形態では、レンズユニット１１の側面にＤカット面１１Ａを形成することによって、レンズユニット１１が転がることを防止したが、これに限定するものではなく、例えばレンズユニット１１の側面に転動防止用の突起を設けたり、レンズユニット１１を多角柱状に形成してもよい。また、レンズユニット１１を所定の姿勢で保持するカメラバッグや着衣等を利用して、レンズユニット１１の着脱作業を行うようにしてもよい。
【０１０４】
また、上述した第１〜第５の実施形態では、レンズユニット１１にＣＣＤ５４を設けたが、これに限定するものではなく、カメラボディ１２にＣＣＤ５４を設けてもよい。
【０１０５】
さらに、上述した第１〜第５の実施形態では、ロック手段によってレンズユニット１１とカメラボディ１２との相対的な移動を規制して固定するようにしたが、電磁石等の固定手段を別途設けて固定するようにしてもよい。
【図面の簡単な説明】
【０１０６】
【図１】第１の実施形態のデジタルカメラを正面側から示した斜視図
【図２】第１の実施形態のデジタルカメラを背面側から示した斜視図
【図３】第１の実施形態のデジタルカメラの組み立て図
【図４】第１の実施形態のデジタルカメラの組み立て図
【図５】第１の実施形態のデジタルカメラの全体構成を示すブロック図
【図６】第１の実施形態のデジタルカメラの作用を示す説明図
【図７】ロック部の形状が異なるデジタルカメラを説明する説明図
【図８】第２の実施形態のデジタルカメラを背面側示した斜視図
【図９】第２の実施形態のデジタルカメラの組み立て図
【図１０】第２の実施形態のデジタルカメラの内部構成を示す図
【図１１】第３の実施形態のデジタルカメラの組み立て図
【図１２】第４の実施形態のデジタルカメラの組み立て図
【図１３】第５の実施形態のデジタルカメラの組み立て図
【符号の説明】
【０１０７】
１０…デジタルカメラ、１１…レンズユニット、１２…カメラボディ、１３…ＣＣＤ収納部、１５…コネクタ、１７…ガイド部、１９…被ガイド部、２０…フロント部、２１…リア部、２４…液晶モニタ、２５…コネクタ、３１…ロック部
【図１】
2007078827.tif 000003
【図２】
2007078827.tif 000004
【図３】
2007078827.tif 000005
【図４】
2007078827.tif 000006
【図５】
2007078827.tif 000007
【図６】
2007078827.tif 000008
【図７】
2007078827.tif 000009
【図８】
2007078827.tif 000010
【図９】
2007078827.tif 000011
【図１０】
2007078827.tif 000012
【図１１】
2007078827.tif 000013
【図１２】
2007078827.tif 000014
【図１３】
2007078827.tif 000015